【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
ＤＣ電圧を出力するように構成される第１のエネルギー源、
ＤＣ負荷に結合され、前記第１のエネルギー源からの前記ＤＣ電圧に基づいて前記ＤＣ負荷にＤＣ負荷電圧を供給するように構成されるＤＣリンク、
前記ＤＣリンクに結合され、前記ＤＣリンクに前記ＤＣ負荷電圧を供給するように構成される第１のＤＣ−ＤＣ電圧コンバータ、
前記第１のエネルギー源に結合される第２のＤＣ−ＤＣ電圧コンバータ、ならびに、
前記第１および第２のＤＣ−ＤＣ電圧コンバータに結合され、
前記第１のエネルギー源の電圧レベルを決定するように、
前記ＤＣリンクの電圧レベルを決定するように、かつ、
前記ＤＣリンクの前記電圧レベルが前記第１のエネルギー源の前記電圧レベルより低いならば、前記第１のエネルギー源から出力され前記第１のＤＣ−ＤＣ電圧コンバータに供給される前記ＤＣ電圧を、前記第１のＤＣ−ＤＣ電圧コンバータを介して前記ＤＣリンクに供給される前記ＤＣ負荷電圧より低くするように、前記第１のエネルギー源からエネルギーを取り出すように前記第２のＤＣ−ＤＣ電圧コンバータを制御するように
構成されるコントローラ
を備える装置。
【請求項２】
前記第１のエネルギー源からエネルギーを取り出すように前記第２のＤＣ−ＤＣ電圧コンバータを制御するように構成される状態の前記コントローラが、前記第１のエネルギー源からの電圧を、より低い降圧された電圧に降圧するように構成され、
前記コントローラが、前記降圧された電圧を前記ＤＣ負荷電圧に昇圧するために前記第１のＤＣ−ＤＣ電圧コンバータを制御するようにさらに構成される、請求項１記載の装置。
【請求項３】
スイッチを介して前記第２のＤＣ−ＤＣ電圧コンバータに選択的に結合可能な補助負荷をさらに備え、
前記コントローラが、前記第１のエネルギー源から取り出された前記エネルギーを、前記スイッチを介して前記補助負荷に供給されるようにするようにさらに構成される、請求項１または２に記載の装置。
【請求項４】
少なくとも１つのスイッチを介して前記第１のエネルギー源に選択的に結合可能な補助負荷をさらに備え、
前記コントローラが、前記ＤＣリンクの前記電圧レベルが前記第１のエネルギー源の前記電圧レベルより高いならば、前記第１のエネルギー源から出力される電圧を、前記少なくとも１つのスイッチを介して前記補助負荷に供給されるようにするようにさらに構成される、請求項１乃至３のいずれかに記載の装置。
【請求項５】
少なくとも１つのスイッチを介して前記第１のエネルギー源に選択的に結合可能な補助負荷をさらに備え、
前記コントローラが、前記第１のエネルギー源から出力される電圧を、昇圧され、かつ前記少なくとも１つのスイッチを介して前記補助負荷に供給されるようにするようにさらに構成される、請求項１乃至４のいずれかに記載の装置。
【請求項６】
ＤＣ電圧を出力するように構成され、前記ＤＣリンクに結合される第２のエネルギー源をさらに備える、請求項１乃至５のいずれかに記載の装置。
【請求項７】
第２のエネルギー源が、前記ＤＣリンクの前記電圧レベルを制御するように構成される、請求項６記載の装置。
【請求項８】
第３のエネルギー源、ならびに、
前記第３のエネルギー源に、および前記ＤＣリンクに結合される第３のＤＣ−ＤＣ電圧コンバータ
をさらに備え、
前記コントローラが、
前記ＤＣリンクの前記電圧レベルが前記第１のエネルギー源の前記電圧レベルより高いならば、第３のエネルギー源からの電圧を、前記第１のエネルギー源の前記電圧レベルより高い電圧レベルに昇圧するように、かつ、
前記ＤＣリンクに前記昇圧された電圧を供給するように
さらに構成される、請求項６または７に記載の装置。
【請求項９】
前記第２のＤＣ−ＤＣコンバータに結合される動的グリッド抵抗器アレイをさらに備え、
前記コントローラが、前記第１のエネルギー源の前記電圧レベルが前記ＤＣリンクの前記電圧レベルより高いならば、前記第１のエネルギー源から出力される電圧を、前記動的グリッド抵抗器アレイに供給されるようにするようにさらに構成される、請求項１乃至８のいずれかに記載の装置。
【請求項１０】
前記コントローラが、回生制動事象中に生成され前記ＤＣリンクに供給される電圧を、前記動的グリッド抵抗器アレイに供給されるようにするようにさらに構成される、請求項９記載の装置。
【請求項１１】
前記ＤＣ負荷が、電気機械デバイスに結合されるＤＣ−ＡＣインバータを備える、請求項１乃至１０のいずれかに記載の装置。
【請求項１２】
エネルギー伝達システムを製造する方法であって、
ＤＣ負荷にＤＣリンクを結合するステップであって、前記ＤＣリンクが前記ＤＣ負荷にＤＣ負荷電圧を供給するように構成されるステップ、
前記ＤＣリンクに第１のＤＣ−ＤＣ電圧コンバータを結合するステップであって、前記第１のＤＣ−ＤＣ電圧コンバータが前記ＤＣリンクに前記ＤＣ負荷電圧を供給するように構成されるステップ、
第１のエネルギー源に第２のＤＣ−ＤＣ電圧コンバータを結合するステップであって、前記第１のエネルギー源がＤＣ電圧を出力するように構成されるステップ、
前記第１および第２のＤＣ−ＤＣ電圧コンバータにコントローラを結合するステップ、ならびに、前記コントローラを、
前記第１のエネルギー源の電圧レベルを前記ＤＣリンクの電圧レベルと比較するように、かつ、
前記第１のエネルギー源の前記電圧レベルが前記ＤＣリンクの前記電圧レベルより高いならば、前記第１のエネルギー源から出力され前記第１のＤＣ−ＤＣ電圧コンバータに供給される前記ＤＣ電圧を、前記ＤＣリンクの前記電圧レベルより低くするように、前記第１のエネルギー源からエネルギーを取り出すように前記第２のＤＣ−ＤＣ電圧コンバータを制御するように
構成するステップ
を含む方法。
【請求項１３】
前記コントローラを、
前記第２のＤＣ−ＤＣ電圧コンバータを、前記第１のエネルギー源から出力される前記ＤＣ電圧をより低い電圧に降圧させるように、かつ、
前記第１のＤＣ−ＤＣ電圧コンバータを、前記より低い電圧を前記ＤＣリンクの前記電圧レベルに実質的に等しいレベルに昇圧させるように構成するステップをさらに含む、請求項１２記載の方法。
【請求項１４】
補助負荷を前記第２のＤＣ−ＤＣ電圧コンバータに結合するステップ、および、
前記コントローラを、前記第１のエネルギー源から取り出された前記エネルギーを前記補助負荷に供給するように構成するステップ
をさらに含む、請求項１２または１３に記載の方法。
【請求項１５】
第２のエネルギー源を前記ＤＣリンクに結合するステップであって、前記第２のエネルギー源がＤＣ電圧を出力するように構成されるステップをさらに含む、請求項１２乃至１４のいずれかに記載の方法。
【請求項１６】
第３のＤＣ−ＤＣ電圧コンバータを前記ＤＣリンクに結合するステップ、
第３のエネルギー源を前記第３のＤＣ−ＤＣ電圧コンバータに結合するステップ、および、
前記コントローラを、前記第３のＤＣ−ＤＣ電圧コンバータを、
前記ＤＣリンクの前記電圧レベルが前記第１のエネルギー源の前記電圧レベルより高いならば、第３のエネルギー源からの電圧を、前記第１のエネルギー源の前記電圧レベルより高い電圧レベルに昇圧させ、かつ、
前記ＤＣリンクに前記昇圧された電圧を供給させる
ように構成するステップ
をさらに含む、請求項１５記載の方法。
【請求項１７】
動的グリッド抵抗器アレイを前記第２のＤＣ−ＤＣコンバータに結合するステップ、および、
前記コントローラを、前記第１のエネルギー源の前記電圧レベルが前記ＤＣリンクの前記電圧レベルより高いならば、前記第１のエネルギー源から出力される電圧を、前記動的グリッド抵抗器アレイに供給されるようにするように構成するステップ
をさらに含む、請求項１２乃至１６のいずれかに記載の方法。
【請求項１８】
ＤＣリンク、
前記ＤＣリンクに結合され、前記ＤＣリンクから負荷電圧を受けるように構成される負荷、
第１のエネルギー源、
前記第１のエネルギー源に結合される第１の電圧測定デバイス、
前記ＤＣリンクに結合される第２の電圧測定デバイス、
第１の入力電圧を第１の変換電圧に変換するように構成される双方向エネルギー源電圧コンバータであって、前記第１の入力電圧が前記第１のエネルギー源から供給される双方向エネルギー源電圧コンバータ、
第２の入力電圧を第２の変換電圧に変換するように、かつ、前記ＤＣリンクに前記第２の変換電圧を供給するように構成される双方向ＤＣリンク電圧コンバータであって、前記第２の変換電圧が前記負荷電圧を構成する双方向ＤＣリンク電圧コンバータ、および、
前記第１の電圧測定デバイスから前記第１のエネルギー源の電圧レベルを受信するように、
前記第２の電圧測定デバイスから前記ＤＣリンクの電圧レベルを受信するように、
前記第１のエネルギー源の前記電圧レベルを前記ＤＣリンクの前記電圧レベルと比較するように、
前記ＤＣリンクの前記電圧レベルが前記第１のエネルギー源の前記電圧レベルより低いならば、前記第２の入力電圧を前記負荷電圧より低くするように、前記第１のエネルギー源からエネルギーを取り出すように前記双方向エネルギー源電圧コンバータを制御するように、かつ、  前記第２の入力電圧を前記第２の変換電圧に変換し、前記ＤＣリンクに前記第２の変換電圧を供給するように前記双方向ＤＣリンク電圧コンバータを制御するように
構成されるコントローラ
を備えるシステム。